(57)【要約】【課題】室内空間の部分的な暖房を効率よく、簡単にできる局所暖房システムを提供する。【解決手段】熱媒体１４を循環可能に形成された配管２０と、配管２０が接続され熱媒体１４を暖めて循環させるヒートポンプ式温水機等の熱源機１２と、配管２０の途中に接続された熱供給部２２を有する。熱供給部２２へ着脱自在に係止され熱供給を受けて蓄熱し、携帯可能に形成された蓄熱パック２６を備える。蓄熱パック２６を机等の所望の位置に設置して、放熱させることにより局所暖房する。熱供給部２２は、建物３６の室内の所定箇所に設けられた熱交換部３０に複数設けられ、樹脂パイプにより形成された熱交換パイプ４２を内蔵する。【選択図】図１
2007321997.tif 000002
【特許請求の範囲】
【請求項１】
熱媒体を循環可能に形成された配管と、前記配管が接続され熱媒体を暖めて循環させる熱源機と、前記配管の途中に接続された熱供給部と、前記熱供給部へ着脱自在に係止され熱供給を受けて蓄熱し携帯可能に形成された蓄熱パックとを備え、前記蓄熱パックを所望の位置に設置して放熱させることにより局所暖房可能としたことを特徴とする局所暖房システム。
【請求項２】
前記蓄熱パックには前記熱媒体が通過する熱交換パイプを備え、前記熱供給部は前記熱媒体を前記蓄熱パックの熱交換パイプに循環させる着脱継手を備えた請求項１記載の局所暖房システム
【請求項３】
前記熱供給部は、建物の室内の所定箇所に設けられた熱交換部に複数設けられ、樹脂パイプにより形成された熱交換パイプを内蔵したパネルを備えることを特徴とする請求項１または２記載の局所暖房システム。
【請求項４】
前記熱源機は、ヒートポンプ式温水機から成り、前記熱媒体は温水であることを特徴とする請求項１記載の局所暖房システム。
【請求項５】
前記熱媒体は、冷媒圧縮用のコンプレッサの凝縮熱により暖められた温水であることを特徴とする請求項１または２記載の局所暖房システム。
【請求項６】
前記蓄熱パックは、発熱可能な電熱部を備え、前記電熱部の発熱を蓄熱可能な蓄熱材から形成されていることを特徴とする請求項１または２記載の局所暖房システム。
【発明の詳細な説明】
【技術分野】
【０００１】
この発明は、蓄熱材を利用して局所的な暖房を可能とした局所暖房システムに関する。
【背景技術】
【０００２】
従来、ビル内の事務所などの冷暖房は、中央の空調装置により、各フロアまたは居室毎に設定された室温を保つように集中的に制御されている。また、冷暖房を行う空調装置には、割安な深夜電力を用いて水を蓄熱材として冷熱を蓄えて、昼間の冷房に利用し昼間の電力を節約する空調システムも知られている。
【０００３】
その他、蓄熱材に熱を蓄えて保温する機器では、特許文献１に、電子レンジにより蓄熱具を暖めて、保温具として使用することが開示されている。そのほか、特許文献２では、庫内に蓄熱材を設けて、電源を抜いても一定時間庫内の温度が適温に保温可能に形成された移動型温蔵庫が提案されている。
【特許文献１】実用新案登録第３００８４３０号公報
【特許文献２】特開平１０−２５７９２６号公報
【発明の開示】
【発明が解決しようとする課題】
【０００４】
上記従来の技術では、例えば、ビル全体の空調を集中して行う空調装置では、冷房時は、広い事務所を冷やすため、フロア全体を適温にすることが難しい上、冷気は室内の床側に滞留しやすく、空間を立体的に適温に保つことが難しいものであった。そのため、冷気から脚腰を保護するため、膝掛けや毛布を足元に掛けて事務を行う場合が多かった。また、暖房時でも、事務所の隅々まで適温に暖房することが難しく、暖気が室内の天井側に滞留し、足下が暖まりにくい問題があった。この場合も、膝掛けなどで、足元の冷えをしのいでいた。
【０００５】
この発明は、上記従来技術の問題に鑑みて成されたもので、室内空間の部分的な暖房を効率よく、簡単にできる局所暖房システムを提供することを目的とする。
【課題を解決するための手段】
【０００６】
この発明は、熱媒体を循環可能に形成された配管と、前記配管が接続され熱媒体を暖めて循環させる熱源機と、前記配管の途中に接続された熱供給部と、前記熱供給部へ着脱自在に係止され熱供給を受けて蓄熱し携帯可能に形成された蓄熱パックとを備え、前記蓄熱パックを所望の位置に設置して放熱させることにより局所暖房可能とした局所暖房システムである。
【０００７】
前記蓄熱パックには前記熱媒体が通過する熱交換パイプを備え、前記熱供給部は前記熱媒体を前記蓄熱パックの熱交換パイプに循環させる着脱継手を備えたものである。
【０００８】
さらに、前記熱供給部は、建物の室内の所定箇所に設けられた熱交換部に複数設けられ、樹脂パイプにより形成された熱交換パイプを内蔵したパネルを備える。
【０００９】
また、前記熱源機は、ヒートポンプ式温水機から成り、前記熱媒体は温水である。または、前記熱媒体は、冷凍機やヒートポンプ等の冷媒圧縮用のコンプレッサの凝縮熱により暖められた温水である。
【００１０】
さらに、前記蓄熱パックは、発熱可能な電熱部を備え、前記電熱部の発熱を蓄熱可能な蓄熱材から形成されたものである。
【発明の効果】
【００１１】
この発明の局所暖房システムによれば、蓄熱材を内蔵し持ち運び可能な蓄熱パックに温熱を効率良く蓄えることができ、その蓄熱パックを机などの局所へ装着して暖房をすることにより、エネルギー効率よくきめ細かな暖房を行うことができ、取り扱いも容易なものである。
【発明を実施するための最良の形態】
【００１２】
以下、この発明の冷暖房システムの一実施形態について、図１〜図４を基にして説明する。この実施形態の局所暖房システム１０は、図１（ａ）（ｂ）に示すように、後述する熱源機１２により加熱された温水や蒸気、冷媒等の熱媒体１４が循環可能に形成され、熱媒体１４の供給側の往管１６と回収側の復管１８から形成された配管２０を備えている。配管２０は、建物３６の屋上等に配置された熱源機１２に接続され、建物３６の適宜な位置に設けられた熱供給部２２に接続されている。
【００１３】
熱供給部２２は、図１（ｂ）に示すように、外形は適宜な厚みを有する矩形に形成され、一端部が往管１６に設けられた支管２４に連結され、他端部は復管１８に設けられた支管２４に連結されている。熱供給部２２内には、熱媒体１４の熱を熱交換可能な細い樹脂製の熱交換パイプ４２が設けられ、表面は熱伝導性の高い金属面等により形成されている。熱媒体１４は、往管１６から熱供給部２２内部の熱交換パイプ４２を通過し復管１８流れ、熱源機１２へ戻るように形成されている。熱供給部２２の表面には、持ち運び可能な蓄熱パック２６を係止する係止部２８が、適宜な位置に設けられている。
【００１４】
係止部２８に係止される蓄熱パック２６は、熱供給部２２の表面に密着状態に形成され、効率良く熱交換可能に、表面が熱伝導性の高い金属材料等で形成されている。蓄熱パック２６は、熱供給部２２と略同形状に形成され、耐熱性の高い樹脂などで形成され、上面には携帯可能に、持ち手３２が設けられている。蓄熱パック２６内には、パラフィンなど潜熱を利用した蓄熱材３４が充填されている。
【００１５】
なお、蓄熱パック２６は、熱供給部２２に接触している部分以外は発泡樹脂等の図示しない断熱材で覆われた状態で蓄熱し、熱が逃げないようにする。さらに、使用時にも、図３に示すように、一定時間で徐々に放熱できるように、適度な断熱被覆４４を施して使用する。これにより、蓄熱材の容量により例えば５〜８時間程度の放熱が可能となり、快適な局所暖房が可能となる。
【００１６】
熱源機１２は、ヒートポンプ式の装置であり、建物３６の各フロアや各部屋へ配管２０が延びている。ヒートポンプは、内蔵するコンプレッサにより冷媒の圧縮と膨張を行うことで、冷媒温度を大気温度以上、大気温度以下にして、大気との間で熱交換を行い、加温または冷却を可能とするものである。暖房時の場合は、例えばヒートポンプ温水機により生成された温水を熱媒体１４として利用可能である。これにより、特別の配管を設けることなく、既存の熱源と配管を利用して熱供給部２２を取り付けることができ、経済的である。
【００１７】
次に、この局所暖房システム１０の動作について説明する。まず、この局所暖房システム１０の構成は、図２に示すように、建物３６の各フロア３６ａに付設された配管２０の所定の場所である熱交換部３０に、一または複数の熱供給部２２が設けられ、蓄熱パック２６を取り付け可能に形成される。そして、熱源機１２により熱媒体１４が循環し、配管２０を循環する熱媒体１４により、熱供給部２２から熱が放出される。これにより、熱供給部２２に取り付けられた蓄熱パック２６の蓄熱材３４に、熱エネルギーが蓄えられる。なお、熱供給部２２は、不使用時は断熱材で覆っておくことにより、エネルギーロスを抑えることができる。
【００１８】
そして、局所の暖房では、例えば、図３に示すように、机３８の下の足元の空間を暖める場合、熱供給部２２により暖められた蓄熱パック２６を、熱供給部２２の係止部２８から外して、机３８の足元近傍の側板３８ａに装着する。装着は、机３８の側板３８ａに設けられた装着具４０に、蓄熱パック２６を取り付けることにより行われ、机３８の下の空間が暖められる。このとき、図４に示すように、椅子に着席した際に膝が位置する箇所と対面する側板３８ａに、装着具４０を取り付け、蓄熱パック２６を装着すると良い。また、居室が冷房されており、床面近傍が低温となり膝が冷える場合も、同様に熱供給部２２を流通する熱媒体１４により加温された蓄熱パック２６を、熱交換部３０の熱供給部２２から外して、図３に示すように、足元近傍の机３８の側板３８ａに装着する。この場合も、蓄熱パック２６により机の下の空間が暖められ、冷房病を防止する。
【００１９】
この実施形態の局所暖房システム１０によれば、蓄熱材３４を有した蓄熱パック２６により、机３８の下の空間などの局所に装着して暖房することが可能なため、効率よく局所の暖房が可能である。また、蓄熱パック２６は熱供給部２２に装着することにより、繰り返し使用可能であり、例えば、夜のうちに蓄熱して、朝に蓄熱パック２６を熱供給部２２から外して机３８に取り付けることにより、蓄熱時間を気にすることなく快適に使用することができる。さらに、蓄熱パック２６は、携帯可能な持ち手３２により持ち運びが簡単で、取り扱いも容易なものである。また、熱源機１２にヒートポンプ温水機を使用することにより、高効率で省エネルギーなものである。さらに、熱媒体１４を暖める熱源機１２として、冷凍機等の冷媒圧縮用のコンプレッサにより発生する凝縮熱を利用することにより、排熱を再利用することができ、省エネルギーに役立つものである。
【００２０】
次にこの発明の局所暖房システムの他の実施形態について、図５を基にして説明する。この実施形態の蓄熱パック４６は、内部に熱交換パイプ４２が設けられ、その回りに蓄熱材３４が充填され、熱交換パイプ４２の一対の雄側着脱継手４７，４８が一側面に設けられている。雄側着脱継手４７，４８には逆止弁等が設けられ、パイプ内の熱媒体１４が漏れないように形成されている。また、蓄熱パック４６は、断熱被覆４４により覆われ、所定の時間に亘り徐々に放熱可能に形成されている。
【００２１】
この蓄熱パック４６に熱を供給する熱供給部５０は、配管２０の供給側の往管１６と回収側の復管１８から延びたフレキシブルな支管５２を備え、各支管５２の端部には、熱供給部５０に設けられた雌側着脱継手５３，５４が取り付けられている。雌側着脱継手５３，５４は、雄側着脱継手４７，４８に各々着脱自在に連結され、連結状態で雄側着脱継手４７，４８の弁が開かれるように形成されている。そして、蓄熱パック４６の熱交換パイプ４２に熱供給部５０の雌側着脱継手５３，５４が接続されると、熱媒体１４が熱交換パイプ４２内を流れ、蓄熱材３４との間で熱交換し蓄熱する。
【００２２】
この実施形態の蓄熱パック４６によれば、熱交換パイプ４２が蓄熱パック４６内に設けられ、熱供給部５０の構成が簡単なものとなり、局所暖房システムの構築がより容易となる。
【００２３】
なお、この発明の局所暖房システムは上記実施形態に限定されるものではなく、蓄熱パック内に発熱可能なヒータ等の電熱部を設けても良い。これにより、配管による熱媒体が得られない場所でも、電源が有れば、蓄熱パックの蓄熱材へ蓄熱可能であるため、局所の暖房が可能になるものである。
【００２４】
また、熱供給部に、樹脂パイプなどから成る熱交換パイプにより形成されたパネルを使用しても良い。この場合、熱供給部のコストを低減でき、軽量化されるため、設置可能な場所が広がるものである。
【００２５】
その他、この発明の局所暖房システムは上記実施形態に限定されるものではなく、熱媒体は、熱交換部の熱供給部で蓄熱パックに蓄熱材と間で熱交換可能に形成されていれば良く、温水の他、冷媒、水蒸気など適宜選択可能なものである。また、熱媒体の配管は、供給側往管と回収側復管に分かれたものでなくても良く、熱媒体が循環可能であれば良く、熱供給部へは配管に直接または分岐して戻るように管路が形成され、その管路の途中に熱供給部を設けたものでも良い。熱供給部も、熱交換パイプが設けられたものの他、熱媒体が通過して熱交換可能なものであればよい。
【００２６】
さらに、蓄熱パックの蓄熱材は、パラフィンのほか水やその他の液体でも良く、装着場所は、机の下に限定されず、例えば車などの座席に装着しても良い。各部材の形状や素材なども、適宜変更可能である。
【００２７】
なお、このシステムは、この蓄熱パックの蓄熱材として水を含む低温蓄熱材を用い、蓄熱パックを冷却し、冷房や保冷コンテナ等の冷却に用いることも可能である。
【図面の簡単な説明】
【００２８】
【図１】この発明の一実施形態の局所暖房システムの熱供給部へ蓄熱パックを係止した状態を示す模式図である。
【図２】この実施形態の局所暖房システムを建物に設置した際の構成を示す模式図である。
【図３】この実施形態の局所暖房システムの蓄熱パックを机に装着した状態を示す概略図である。
【図４】図３のＡ−Ａ拡大断面図である。
【図５】この発明の他の実施形態の局所暖房システムの熱供給部と蓄熱パックを示す縦断面図である。
【符号の説明】
【００２９】
１０  局所暖房システム
１２  熱源機
１４  熱媒体
１６  往管
１８  復管
２０  配管
２２  熱供給部
２６  蓄熱パック
２８  係止部
３０  熱交換部
３４  蓄熱材
３６  建物
４２  熱交換パイプ
【図１】
2007321997.tif 000003
【図２】
2007321997.tif 000004
【図３】
2007321997.tif 000005
【図４】
2007321997.tif 000006
【図５】
2007321997.tif 000007